(57)【要約】【課題】レンズペン等のアクセサリを収納可能にした双眼鏡を提供する。【解決手段】双眼鏡１０の鏡筒１１Ｒ，１１Ｌを、第１及び第２ブリッジ部１２，１３により連結する。両ブリッジ部１２，１３の軸２３，２９をそれぞれ両ブリッジ部１２，１３間のスペース２５内に突出させる。スペース２５に収容可能な大きさを有し、レンズペンを収納する収納ケース１５を用意する。収納ケース１５の両端部にクリップ部４１を設ける。収納ケース１５を双眼鏡１０の上方からスペース２５内に押し込んで、クリップ部４１により軸２３，２９の突出部分２３ａ，２９ａを弾性的に挟持させる。収納ケース１５がスペース２５内に着脱自在に保持される。【選択図】図２
2010164704.tif 000002
【特許請求の範囲】
【請求項１】
双眼鏡光学系を構成する第１及び第２光学系をそれぞれ収容した第１及び第２鏡筒と、
前記第１及び第２鏡筒の間で、且つ前記双眼鏡光学系の光軸方向に沿って間隔をあけて設けられ、前記第１及び第２鏡筒を連結する第１及び第２ブリッジ部と、
前記第１及び第２ブリッジ部の間のスペース内に収容可能な大きさを有し、アクセサリを収納する収納ケースと、
前記収納ケースを前記スペース内に着脱自在に保持するケース保持手段と、
を備えることを特徴とする双眼鏡。
【請求項２】
前記ケース保持手段は、前記第１及び第２ブリッジ部にそれぞれ設けられ、前記スペース内に突出した軸と、前記収納ケースの前記第１及び第２ブリッジ部にそれぞれ対向する面に設けられ、且つ前記軸に対して直交する方向に延びており、前記軸を弾性的に挟持する略二股状に形成されたクリップ部とから構成されることを特徴とする請求項１記載の双眼鏡。
【請求項３】
前記軸及び前記クリップ部のいずれか一方には、回転止め用の突起が設けられるとともに、他方には前記突起が嵌合する回転止め用の溝が設けられていることを特徴とする請求項２記載の双眼鏡。
【請求項４】
前記収納ケースは、一端部が開口され他端部が閉塞された有底筒状の第１ケース本体と、一端部が開口され且つこの一端部が前記第１ケース本体内に進退自在に挿入されるとともに、他端部が閉塞された有底筒状の第２ケース本体と、前記第１ケース本体内の底部と前記第２ケース本体の一端部の間に設けられたバネとから構成されており、前記バネに抗して前記第２ケース本体の一端部が前記第１ケース本体内に押し込まれると前記スペース内に収容可能な縮み状態になるとともに、この押し込みが解除された時に前記バネの復元力により前記第１及び第２ケース本体が互いに遠ざかる方向に変位して伸び状態になるものであり、
前記収納ケースは、前記縮み状態で且つその長手方向が前記光軸方向と平行になるように前記スペース内にセットされた状態で、前記伸び状態に切り替えられた時に、前記第１及び第２ブリッジ部をそれぞれ押圧して前記第１及び第２ブリッジ部の間で突っ張った状態となることを特徴とする請求項１記載の双眼鏡。
【請求項５】
前記ケース保持手段は、前記第１及び第２ブリッジ部にそれぞれ設けられ、前記第１及び第２ケース本体の他端部が嵌合する嵌合穴であることを特徴とする請求項４記載の双眼鏡。
【請求項６】
前記ケース保持手段は、前記第１及び第２ブリッジ部にそれぞれ設けられ、前記スペース内に突出するとともに、前記収納ケースに対向する円形状の第１端面、及びこの第１端面の直径に沿って形成された第１溝を有し、前記光軸方向に平行な軸回りに回転自在な回転軸と、前記収納ケースの前記第１及び第２ブリッジ部にそれぞれ対向する面に設けられ、前記第１溝に嵌合する突起と、前記回転軸の周面を囲むように設けられ、前記収納ケースに対向する円環状の第２端面、及びこの第２端面にその中心から半径方向に延びた直線に沿って形成され、当該第２端面の内外周を連通する第２溝を有する円筒体とから構成されており、
前記第１溝と第２溝とが接続するように前記回転軸が前記円筒体に対して回転した時に、前記ケース保持手段に対する前記収納ケースの着脱が可能になることを特徴とする請求項１記載の双眼鏡。
【発明の詳細な説明】
【技術分野】
【０００１】
本発明は、双眼鏡に関し、特に左右の鏡筒が２つのブリッジ部で連結されている双眼鏡に関するものである。
【背景技術】
【０００２】
双眼鏡は、両目で覗くことに対応して、左右の光学系（対物レンズ系、接眼レンズ系等）をそれぞれ収容した左右一対の鏡筒と、両鏡筒を連結するブリッジ部とを備えている。ブリッジ部は、右側の鏡筒と一体に形成された右側ブリッジと、左側の鏡筒と一体に形成された左側ブリッジとから構成されており、右側及び左側ブリッジは、光学系の光軸方向に対して平行な軸に回動自在に組み付けてある。これにより、両鏡筒の対物レンズ系の光軸間距離をユーザの眼幅に合致させることができる。
【０００３】
特に近年では、両鏡筒の間で光軸方向に沿って間隔をあけて設けられた２つのブリッジ部により両鏡筒を連結するタイプの双眼鏡が良く知られている（特許文献１参照）。特許文献１では、両ブリッジ部を構成する右側及び左側ブリッジが、両ブリッジ部を貫通する１本の軸に組みつけられている。
【０００４】
このような双眼鏡の対物レンズ系や接眼レンズ系には、ユーザが指で触れるなどして汚れが付着し易い。このようなレンズ系の汚れを除去するクリーニング用アクセサリとして、ペン形状のレンズペンが良く用いられる（特許文献２参照）。レンズペンは形態性に優れているため、ユーザはレンズペンをカバンや服のポケット等に入れた状態で持ち歩くことができる。
【特許文献１】特開２００２−７２１０４号公報
【特許文献２】特許第３８３４２８７明細書
【発明の開示】
【発明が解決しようとする課題】
【０００５】
ところで、レンズペンは双眼鏡とは別々に保管されることが多く、レンズペンを紛失し易いという問題があった。また、レンズペンを双眼鏡の収納ケース内に保管している場合には、収納ケースがユーザの手元に無いと汚れの除去が行えないという問題があった。このため、双眼鏡にレンズペンの収納部を設けて両者を一体に保管及び持ち歩くことができるようにすることが好ましい。しかしながら、双眼鏡にレンズペンの収納スペースを確保することは難しく、更に、例えば鏡筒の周面に収納部を設けた場合には、双眼鏡の大型化並びにデザインが悪化してしまう。
【０００６】
本発明は上記問題を解決するためになされたものであり、双眼鏡の大きさやデザインにさほど影響を与えることなくレンズペン等の各種アクセサリを収納可能にした双眼鏡を提供することを目的とする。
【課題を解決するための手段】
【０００７】
上記目的を達成するため、本発明の双眼鏡は、双眼鏡光学系を構成する第１及び第２光学系をそれぞれ収容した第１及び第２鏡筒と、前記第１及び第２鏡筒の間で、且つ前記双眼鏡光学系の光軸方向に沿って間隔をあけて設けられ、前記第１及び第２鏡筒を連結する第１及び第２ブリッジ部と、前記第１及び第２ブリッジ部の間のスペース内に収容可能な大きさを有し、アクセサリを収納する収納ケースと、前記収納ケースを前記スペース内に着脱自在に保持するケース保持手段と、を備えることを特徴とする
【０００８】
前記ケース保持手段は、前記第１及び第２ブリッジ部にそれぞれ設けられ、前記スペース内に突出した軸と、前記収納ケースの前記第１及び第２ブリッジ部にそれぞれ対向する面に設けられ、且つ前記軸に対して直交する方向に延びており、前記軸を弾性的に挟持する略二股状に形成されたクリップ部とから構成されることが好ましい。これにより、収納ケースの着脱を簡単に行うことができる。
【０００９】
前記軸及び前記クリップ部のいずれか一方には、回転止め用の突起が設けられるとともに、他方には前記突起が嵌合する回転止め用の溝が設けられていることが好ましい。これにより、スペース内で保持されている収納ケースの回転が防止される。
【００１０】
前記収納ケースは、一端部が開口され他端部が閉塞された有底筒状の第１ケース本体と、一端部が開口され且つこの一端部が前記第１ケース本体内に進退自在に挿入されるとともに、他端部が閉塞された有底筒状の第２ケース本体と、前記第１ケース本体内の底部と前記第２ケース本体の一端部の間に設けられたバネとから構成されており、前記バネに抗して前記第２ケース本体の一端部が前記第１ケース本体内に押し込まれると前記スペース内に収容可能な縮み状態になるとともに、この押し込みが解除された時に前記バネの復元力により前記第１及び第２ケース本体が互いに遠ざかる方向に変位して伸び状態になるものであり、前記収納ケースは、前記縮み状態で且つその長手方向が前記光軸方向と平行になるように前記スペース内にセットされた状態で、前記伸び状態に切り替えられた時に、前記第１及び第２ブリッジ部をそれぞれ押圧して前記第１及び第２ブリッジ部の間で突っ張った状態となることが好ましい。これにより、収納ケースの着脱を簡単に行うことができる。
【００１１】
前記ケース保持手段は、前記第１及び第２ブリッジ部にそれぞれ設けられ、前記第１及び第２ケース本体の他端部が嵌合する嵌合穴であることが好ましい。
【００１２】
前記ケース保持手段は、前記第１及び第２ブリッジ部にそれぞれ設けられ、前記スペース内に突出するとともに、前記収納ケースに対向する円形状の第１端面、及びこの第１端面の直径に沿って形成された第１溝を有し、前記光軸方向に平行な軸回りに回転自在な回転軸と、前記収納ケースの前記第１及び第２ブリッジ部にそれぞれ対向する面に設けられ、前記第１溝に嵌合する突起と、前記回転軸の周面を囲むように設けられ、前記収納ケースに対向する円環状の第２端面、及びこの第２端面にその中心から半径方向に延びた直線に沿って形成され、当該第２端面の内外周を連通する第２溝を有する円筒体とから構成されており、前記第１溝と第２溝とが接続するように前記回転軸が前記円筒体に対して回転した時に、前記ケース保持手段に対する前記収納ケースの着脱が可能になることが好ましい。これにより、収納ケースをスペース内に保持した状態でロックすることができる。
【発明の効果】
【００１３】
本発明の双眼鏡は、第１ブリッジ部と第２ブリッジ部との間のスペース内に、アクセサリの収納ケースを着脱自在に保持することができるので、双眼鏡の大きさやデザインにさほど影響を与えることなく、アクセサリを双眼鏡に収納することができる。これにより、双眼鏡とアクセサリを別々に保管する必要がなくなり、アクセサリを紛失する可能性が低くなる。
【図面の簡単な説明】
【００１４】
【図１】第１実施形態の双眼鏡の斜視図であり、収納ケースを保持した状態を示している。
【図２】第１実施形態の双眼鏡の斜視図であり、収納ケースを取り外した状態を示している。
【図３】収納ケースの断面図である。
【図４】略箱状の収納ケースを備える第２実施形態の双眼鏡の上面図である。
【図５】図４の収納ケースの斜視図である。
【図６】第１実施形態の双眼鏡に収納ケースの回転止めを設けた他実施形態の斜視図である。
【図７】第２実施形態の双眼鏡に収納ケースの回転止めを設けた他実施形態の斜視図である。
【図８】第３実施形態の双眼鏡における伸び縮み可能な収納ケースの斜視図であり、縮めた状態を示している。
【図９】図８の収納ケースの断面図である。
【図１０】第３実施形態の双眼鏡の収納ケースの斜視図であり、伸びた状態を示している。
【図１１】図１０の収納ケースの断面図である。
【図１２】収納ケースをスペース内に保持した状態でロック可能な第４実施形態の双眼鏡を説明するための説明図であり、ロック解除状態を示している。
【図１３】第４実施形態の双眼鏡を説明するための説明図であり、ロック状態を示している。
【発明を実施するための形態】
【００１５】
図１及び図２に示すように、双眼鏡１０は、大別して、左右一対の鏡筒１１Ｒ，１１Ｌと、各鏡筒１１Ｒ，１１Ｌを互いに連結する第１及び第２ブリッジ部１２，１３と、本発明のアクセサリであるレンズペン１４（図３参照）を収納する収納ケース１５とから構成されている。両鏡筒１１Ｒ，１１Ｌは、いずれも略円筒形状をしており、鏡筒１１Ｒの内部には右光学系ＱＲを、鏡筒１１Ｌの内部には左光学系ＱＬをそれぞれ設けてある（図２では図示を省略）。各光学系ＱＲ，ＱＬは、双眼鏡光学系を構成しており、それらの光軸ＰＲ，ＰＬは互いに平行としてある。
【００１６】
右光学系ＱＲは、対物レンズ系１７Ｒ、接眼レンズ系１８Ｒ、及び図示しないプリズム系からなり、対物レンズ系１７Ｒは、固定レンズ１９Ｒとフォーカスレンズ２０Ｒとから構成されている。接眼レンズ系１８Ｒ、固定レンズ１９Ｒ、及びフォーカスレンズ２０Ｒは、いずれも複数枚のレンズから構成してあるが、それらの構成は適宜変更でき、１枚のレンズで構成してもよい。なお、プリズム系は、一対のダハプリズムで構成される。対物レンズ系１７Ｒ，接眼レンズ系１８Ｒとの間の光路は、プリズム系によって折り曲げられるが、対物レンズ系１７Ｒ，接眼レンズ系１８Ｒの光軸ＰＲは一直線上となるようにしてあり、双眼鏡１０はいわゆるダハプリズムタイプとなっている。
【００１７】
左光学系ＱＬについても、右光学系ＱＲと同じく、固定レンズ１９Ｌ及びフォーカスレンズ２０Ｌとからなる対物レンズ系１７Ｌ、接眼レンズ系１８Ｌ、及びプリズム系（図示せず）から構成されている。
【００１８】
フォーカスレンズ２０Ｒ，２０Ｌは、それぞれ対応する光学系ＱＲ，ＱＬの光軸ＰＲ，ＰＬ方向に移動自在としてあり、フォーカスレンズ２０Ｒを移動することで右光学系ＱＲの焦点（ピント）が調節され、フォーカスレンズ２０Ｌを移動することで左光学系ＱＬの焦点が調節される。これらフォーカスレンズ２０Ｒ，２０Ｌを同時に同じ移動量で移動することによってピント調節を行い、一方のフォーカスレンズ（例えばフォーカスレンズ２０Ｌ）だけを移動することによって視度調節を行う。
【００１９】
第１及び第２ブリッジ部１２，１３は、両鏡筒１１Ｒ，１１Ｌの間で光軸ＰＲ，ＰＬ方向に沿って間隔をあけて設けられている。第１ブリッジ部１２は、鏡筒１１Ｒと一体に設けた右側ブリッジ２２Ｒと、鏡筒１１Ｌと一体に設けた左側ブリッジ２２Ｌとを、光軸ＰＲ，ＰＬに平行な軸２３（図２参照）に回動自在に組み付けてある。また、軸２３は、第１ブリッジ部１２から両ブリッジ部１２，１３の間のスペース２５内に突出している。この軸２３のスペース２５内への突出部分の根元部には、リング２６が外嵌されている。
【００２０】
第２ブリッジ部１３は、基本的には第１ブリッジ部１２と同じ構成であり、右側ブリッジ２８Ｒと左側ブリッジ２８Ｌとを、光軸ＰＲ，ＰＬに平行な軸２９（図３参照）に回動自在に組み付けてある。軸２９は、上述の軸２３と同軸状に設けられている。また、軸２９は、第２ブリッジ部１２からスペース２５内に突出しており、軸２９の突出部分の根元部には、リング３０が外嵌されている。
【００２１】
これら第１及び第２ブリッジ部１２，１３により、鏡筒１１Ｒ，鏡筒１１Ｌが軸２３，２９を中心に適当な角度の範囲で回転可能とされ、ユーザの眼幅に接眼レンズ系１８Ｒ，１８Ｌの光軸間距離を合致させることができる。
【００２２】
第２ブリッジ部１３の接眼側の端面には、ピントリング３２が設けられている。ピントリング３２は、ピント調節を行うための操作部材であり、軸２９を中心に回動自在になっている。このピントリング３２をユーザが回転させることで、第２ブリッジ部１３内に設けられたピント調節機構（図示せず）によりフォーカスレンズ２０Ｒ，２０Ｌが同時に同じ移動量で移動されてピント調節が行われる。また、双眼鏡１０には、図示は省略するが、視度調節を行うための視度調節機構の操作部材である視度調節リングが設けられている。
【００２３】
第１ブリッジ部１２の対物側の端面には、図示は省略するが、三脚等に双眼鏡１０を取り付ける際のアダプタを取り付けるためのネジ穴（図示せず）が設けられている。そして、このネジ穴には、キャップ３３が着脱自在に取り付けられている。
【００２４】
双眼鏡１０では、第１及び第２ブリッジ部１２，１３の軸２３，２９がそれぞれ別々に設けられており、従来のように１本の軸を用いていないため、第１及び第２ブリッジ部１２，１３の間に、ある程度の大きさを有するスペース２５が形成される。従って、双眼鏡１０では、収納ケース１５をスペース２５内に着脱自在に収容する。
【００２５】
収納ケース１５は、例えば樹脂材料で形成され、光軸ＰＲ，ＰＬ方向に延びた略円筒型のケースであり、スペース２５内に収容可能な大きさを有している。なお、スペース２５の大きさは、軸２３，２９を中心として鏡筒１１Ｒ，鏡筒１１Ｌを回転させることにより変わる。このため、収納ケース１５は、最も小さくなるスペース２５内に収容可能な大きさ、即ち鏡筒１１Ｒ，１１Ｌの回転を妨げない大きさに形成されている。
【００２６】
収納ケース１５の断面を示す図３において、収納ケース１５は、その長手方向に２分割可能であり、図中対物側（第１ブリッジ部１２側）に位置する第１ケース本体３５と、接眼側（第２ブリッジ部１３側）に位置する第２ケース本体３６とから構成される。第１ケース本体３５は、接眼側の端部３５ａが開口され対物側の端部３５ｂが閉塞された有底筒状を有している。この端部３５ａの内周面は切り欠かれており、第２ケース本体３６が嵌合する嵌合溝３７が形成されている。
【００２７】
第２ケース本体３６は、基本的には第１ケース本体３５と同じ有底筒状を有しており、対物側の端部３６ａが開口され接眼側の端部３６ｂが閉塞されている。端部３６ａの外周面は切り欠かれており、この端部３６ａの外径は上述の端部３５ａの内径よりも僅かに小さく形成されている。すなわち、第２ケース本体３６の端部３６ａは、第１ケース本体３５の端部３５ａ（嵌合溝３７）に嵌合可能な形状を有している。従って、第２ケース本体３６は、第１ケース本体３５に着脱自在に取り付けられる。
【００２８】
両ケース本体３５，３６内には、レンズペン１４を保持する保持部３９が形成されている。レンズペン１４は、収納ケース１５に収納な大きさに形成されたペン形状のクリーニング用アクセサリであり、双眼鏡１０の対物レンズ系１７Ｒ，１７Ｌや接眼レンズ系１８Ｒ，１８Ｌに付着したホコリや皮脂の除去に用いられる。このレンズペン１４は、略棒状のペン本体１４ａと、ペン本体１４ａの一端部に設けられたホコリ除去用のブラシ１４ｂと、他端部に設けられた皮脂除去用のクリーニングチップ１４ｃとから構成される。ブラシ１４ｂは、ペン本体１４ａに設けられたスライダー（図示せず）を操作することで、ペン本体１４ａ内に収納可能となっている。クリーニングチップ１４ｃは、不使用時には、キャップ４０で保護されている。
【００２９】
レンズペン１４を収納ケース１５に収納する際には、両ケース本体３５，３６のいずれか一方を他方から遠ざかる方向に引っ張ることで、第１ケース本体３５から第２ケース本体３６を取り外す。次いで、第１ケース本体３５の保持部３９にレンズペン１４の他端部（一端部でも可）をセットする。そして、第１ケース本体３５の端部３５ａに第２ケース本体３６の端部３６ａを嵌合させる。これにより、両ケース本体３５，３６が一体化して、レンズペン１４を収納した収納ケース１５となる。また、この嵌合操作中に、レンズペン１４の一端部が第２ケース本体３６の保持部３９にセットされる。なお、収納ケースからレンズペン１４を取り外す操作は、基本的には上述の収納操作と同じであるため、説明は省略する。
【００３０】
図２に戻って、双眼鏡１０では、本発明のケース保持手段に相当する上述の軸２３，２９と、収納ケース１５のブリッジ部対向面（ブリッジ部に対向する面）１５ａ，１５ｂにそれぞれ設けられたクリップ部４１とを用いて、収納ケース１５をスペース２５内に着脱自在に保持する。なお、収納ケース１５は、軸２３，２９の間で保持される。このため、軸２３，２９の間隔が、ブリッジ部対向面１５ａ，１５ｂの間隔よりも僅かに大きくなるように、軸２３，２９の突出量や収納ケース１５のサイズが調整されている。
【００３１】
クリップ部４１は、例えば樹脂材料等の弾性を有する材料により収納ケース１５と一体（別体でも可）に形成されている。クリップ部４１は、鉛直下方向（軸２３，２９に垂直な方向）に延び、略二股状に形成された一対の挟持片４２を有している。両挟持片４２の間隔は、軸２３，２９の直径よりも小さくなるように形成されている。また、両挟持片４２の互いに対向する面には、円弧状の溝４２ａが形成されている。各溝４２ａは、両者の間に軸２３，２９が位置した時に軸２３，２９の周面に沿うような形状を有している。
【００３２】
次に、収納ケース１５の着脱方法について具体的に説明する。ユーザは、収納ケース１５をスペース２５内に入れるとともに、両挟持片４２の先端部の間に軸２３，２９が位置するように、収納ケース１５の位置調整を行う。
【００３３】
収納ケース１５の位置調整後、ユーザは収納ケース１５を下方に押し込む。この押し込みにより、軸２３，２９が両挟持片４２の間隔を拡げながら両挟持片４２の間に挿入される。そして、両挟持片４２は、軸２３，２９を挟持した状態で、且つ軸２３，２９により間隔が拡げられた状態で下方に移動する。
【００３４】
更にユーザが押し込みを継続すると、軸２３，２９が両挟持片４２の溝４２ａに到達する。これにより、両挟持片４２が元の状態に復元して、軸２３，２９が溝４２ａにより係止される。すなわち、両挟持片４２により、軸２３，２９が弾性的に挟持固定される。なお、両挟持片４２が元の状態に復元する際に軸２３，２９に当たって「パチン」という音が発生するため、ユーザは、音が発生するまで押し込みを継続し、この音が発生した時に押し込みを停止する。以上で収納ケース１５の取付作業が全て完了し、収納ケース１５がスペース２５内に保持される。
【００３５】
また、収納ケース１５を取り外す場合には、ユーザは、収納ケース１５を上方に引っ張る。収納ケース１５がある一定以上の力で引っ張られると、軸２３，２９により両挟持片４２の間隔が拡げられて、軸２３，２９が溝４２ａから外れる。そして、ユーザが更に収納ケース１５を上方に引っ張ることにより、収納ケース１５がスペース２５から取り外される。
【００３６】
以上のように本発明の双眼鏡１０では、第１ブリッジ部１２と第２ブリッジ部１３との間のスペース２５内に、レンズペン１４を収納した収納ケース１５を着脱自在に保持することができるので、双眼鏡１０の大きさやデザインにさほど影響を与えることなくレンズペン１４を双眼鏡１０に収納することができる。
【００３７】
また、双眼鏡１０にレンズペン１４を収納することができるので、両者を別々に保管する必要がなくなり、レンズペン１４を紛失する可能性が低くなる。更に、双眼鏡１０にレンズペン１４が収納されているため、ユーザはいつでも双眼鏡１０に付着した汚れを除去することができる。
【００３８】
また、軸２３，２９とクリップ部４１とを用いて、収納ケース１５を着脱自在に保持するようにしたので、収納ケース１５を双眼鏡１０（スペース２５）の上から押し込んだり、引っ張ったりするだけで、収納ケース１５の着脱を行うことができる。すなわち、収納ケース１５の着脱を簡単に行うことができる。
【００３９】
次に、本発明の第２実施形態の双眼鏡５０について説明を行う。図４及び図５に示すように、双眼鏡５０は、上述の収納ケース１５とは異なる形状の収納ケース５１を備えている点を除いては、基本的に第１実施形態の双眼鏡１０と同じ構成である。このため、上記第１実施形態と機能・構成上同一のものについては、同一符号を付してその説明は省略する（第３実施形態以降も同様）。
【００４０】
収納ケース５１は、光軸ＰＲ，ＰＬ方向に延び、且つスペース２５内に収容可能な大きさを有する略箱型のケースであり、レンズペン１４を収納する。この収納ケース５１も、上述の収納ケース１５と同様に、その長手方向に２分割可能であり、第１ケース本体５３と第２ケース本体５４とから構成される。また、上述の収納ケース１５と同様にして、第２ケース本体５４は、第１ケース本体５３に着脱自在に取り付けられる。
【００４１】
また、収納ケース５１のブリッジ部対向面５１ａ，５１ｂには、それぞれ上記第１実施形態で説明したクリップ部４１（挟持片４２）が設けられている。従って、収納ケース５１についても、上述の収納ケース１５と同様に、収納ケース５１をスペース２５内に着脱自在に保持することができる。
【００４２】
以上のように第２実施形態の双眼鏡５０についても、上述の第１実施形態で説明した効果と同様の効果が得られる。
【００４３】
上記第１及び第２実施形態の双眼鏡１０，５０では、クリップ部４１により軸２３，２９を挟持することにより、それぞれ収納ケース１５，５１をスペース２５内に保持している。このため、双眼鏡１０，５０では、収納ケース１５，５１が軸２３，２９を中心として回転するおそれがある。特に略箱型の収納ケース５１が回転すると、双眼鏡５０の見た目が悪くなってしまう。
【００４４】
そこで、図６及び図７に示すように、軸２３，２９に回転止め用突起５６を設けるとともに、クリップ部４１（例えば、挟持片４２の根元部）に回転止め用突起５６が嵌合する回転止め用溝５７を形成する。軸２３，２９が両挟持片４２により係止された際に、回転止め用突起５６が回転止め用溝５７に嵌合するように、両者の形成位置、サイズ等を調整する。これにより、スペース２５内で保持されている収納ケース１５，５１の回転が防止される。
【００４５】
次に、本発明の第３実施形態の双眼鏡６０について説明を行う。双眼鏡６０は、バネの伸び縮みに連動して長手方向に伸び縮みする略円筒状の収納ケース６１を備えている。この収納ケース６１の直径は、軸２３，２９の直径とほぼ同じ大きさに形成されている。
【００４６】
図８〜図１１に示すように、収納ケース６１は、その長手方向に２分割可能であり、対物側に位置する第１ケース本体６２と、接眼側に位置する第２ケース本体６３と、バネ６４（図９、図１１参照）とから構成されている。第１ケース本体６２は、接眼側の端部６２ａが開口され対物側の端部６２ｂが閉塞された有底筒状を有している。
【００４７】
第２ケース本体６３は、対物側の端部６３ａが開口され接眼側の端部６３ｂが閉塞された有底筒状を有している。対物側の端部６３ａの外周面は第１ケース本体６２の開口部に嵌合可能なように切り欠かれている。そして、この端部６３ａは、第１ケース本体６２内に進退自在・着脱自在に挿入されている。なお、本実施形態では、第２ケース本体６３の長さがレンズペン１４よりも長く形成されている、すなわち、第２ケース本体６３内にレンズペン１４が完全に収納されるが、本発明はこれに限定されるものではなく、第２ケース本体６３の長さがレンズペン１４の長さよりも短くてもよい。
【００４８】
バネ６４は、例えばコイルバネであり、第１ケース本体６２内であって、第１ケース本体６２の底部と第２ケース本体６３の端部６３ａとの間に設けられている。これにより、収納ケース６１は、バネ６４に抗して第２ケース本体６３の端部６３ａが第１ケース本体６２内に押し込まれると、スペース２５内に収容可能な縮み状態になる（図８及び図９参照）。また、縮み状態の収納ケース６１は、押し込みが解除された時に、バネ６４の復元力により第１及び第２ケース本体６２，６３が互いに遠ざかる方向に変位して伸び状態になる。
【００４９】
第３実施形態では軸２３，２９の間隔が、縮み状態の収納ケース６１の長さよりも広く、且つ伸び状態の収納ケース６１の長さよりも狭く形成されている。そして、収納ケース６１は、上記第１及び第２実施形態と同様に、軸２３，２９の間で保持される。具体的には、軸２３，２９の軸端面（収納ケース６１に対向する面）に形成された回転止め用溝６７と、軸２３，２９に外嵌されたリング６８と、収納ケース６１のブリッジ対向面に設けられた回転止め用突起６９とにより、収納ケース６１をスペース２５内に着脱自在に保持する。
【００５０】
回転止め用溝６７は、軸端面の直径に沿って形成されており、収納ケース６１の回転止めに用いられる。なお、回転止め用溝６７により回転止めを行う場合には、軸２３，２９がそれぞれ右側ブリッジ２２Ｒ，２８Ｒ或いは左側ブリッジ２２Ｌ，２８Ｌのいずれか一方に固定されていることが好ましい。
【００５１】
リング６８と軸２３，２９との間には、図示は省略するが、リング６８が軸２３，２９から抜けないように抜け止めが設けられている。リング６８は、その光軸ＰＲ，ＰＬ方向の厚みが軸２３，２９の突出量よりも厚くなるように形成されている。これにより、リング６８には、収納ケース６１の端部６２ｂ，６３ｂが嵌合する嵌合穴７１が形成される。回転止め用突起６９は、回転止め用溝６７に嵌合可能な形状、例えば長方形状に形成されている。
【００５２】
次に、収納ケース６１の着脱方法について具体的に説明する。ユーザは、収納ケース６１を縮み状態に切り替える。次いで、ユーザは、縮み状態の収納ケース６１の端部６２ｂ，６３ｂがそれぞれ嵌合穴７１に対向し、且つ回転止め用突起６９の向きが回転止め用溝６７の向きと一致するように収納ケース６１の位置調整を行う（図８及び図９参照）。
【００５３】
収納ケース６１の位置調整後、ユーザは、収納ケース６１を縮み状態から伸び状態に切り替える。これにより、収納ケース６１の端部６２ｂ，６３ｂがそれぞれ嵌合穴７１に嵌合するとともに、回転止め用突起６９が回転止め用溝６７に嵌合する。収納ケース６１は、バネ６４の復元力により第１及び第２ブリッジ部１２，１３（軸２３，２９）を押圧して、第１及び第２ブリッジ部１２，１３の間で突っ張った状態となる（図１０及び図１１参照）。ユーザが収納ケース６１を縮み状態に切り替えない限りは、上述の突っ張った状態が維持されるため、収納ケース６１がスペース２５内に保持される。また、回転止め用突起６９が回転止め用溝６７に嵌合することで、収納ケース６１の回転が防止される。以上で収納ケース６１の取付作業が全て完了する。
【００５４】
また、収納ケース６１を取り外す場合には、ユーザは、収納ケース６１を縮み状態に切り替える。これにより、収納ケース６１の端部６２ｂ，６３ｂを嵌合穴７１から抜くことができるので、収納ケース６１をスペース２５から取り外すことができる。
【００５５】
以上のように第３実施形態の双眼鏡６０も、第１及び第２実施形態と同様に、スペース２５内に収納ケース６１を着脱自在に保持することができるので、上述の第１実施形態で説明した効果と同様の効果が得られる。また、収納ケース６１を縮み状態と伸び状態とに切り替えるだけで収納ケース６１の着脱を行うことができるため、収納ケース６１の着脱を簡単に行うことができる。
【００５６】
上記第３実施形態では、収納ケース６１の回転止めとして、軸２３，２９及び収納ケース６１にそれぞれ回転止め用溝６７、回転止め用突起６９を形成しているが、回転止めが不要であればこれらは設けなくともよい。
【００５７】
上記第３実施形態では、軸２３，２９がそれぞれスペース２５内に突出しているが、本発明はこれに限定されるものではない。第１及び第２ブリッジ部１２，１３の間隔が伸び状態の収納ケース６１の長さよりも狭い場合には、軸２３，２９をそれぞれスペース２５内に突出させる必要はない。この場合には、リング６８を、例えば右側ブリッジ２２Ｒ，２８Ｒ或いは左側ブリッジ２２Ｌ，２８Ｌのいずれか一方に固定、或いは一体に形成する。
【００５８】
次に第４実施形態の双眼鏡について説明を行う。第４実施形態は、基本的には上記第１及び第２実施形態と同じであるが、収納ケースをスペース２５内に保持した状態でロックすることができる。この第４実施形態では、第１実施形態の収納ケース１５と同様の略円筒状の収納ケース７１を用いるが、収納ケースの形状は特に限定されない。
【００５９】
図１２に示すように、第４実施形態では、軸２３（軸２９も同様）の軸端面（円形状の第１端面）２３ａに形成された保持溝（第１溝）７２と、軸２３の突出部分の周面を囲むように設けられたリング（円筒体）７３と、収納ケース７１のブリッジ部対向面に設けられた嵌合突起７４とにより、収納ケース７１をスペース２５内に着脱自在に保持する。なお、第４実施形態では、第３実施形態と異なり、軸２３，２９は，それぞれ第１及び第２ブリッジ部１２，１３に対して回転自在な回転軸である。
【００６０】
保持溝７２及び嵌合突起７４は、上述の第３実施形態の回転止め用溝６７、回転止め用突起６９と基本的には同じである。リング７３は、右側ブリッジ２２Ｒ，２８Ｒまたは左側ブリッジ２２Ｌ，２８Ｌのいずれか一方に固定または一体形成されている（軸２３，２９と共に回転しなければ別体でも可）。リング７３の光軸ＰＲ，ＰＬ方向の厚みは、軸２３，２９の突出量と等しくなるように形成されている。また、リング７３のリング端面（収納ケース７１に対向する面：円環状の第２端面）７３ａには、その中心から半径方向（本実施形態では鉛直上方）に延びた直線に平行なロック解除溝（第２溝）７７が形成されている。
【００６１】
ロック解除溝７７は、リング端面７３ａの内外周を連通している。そして、ロック解除溝７７と保持溝７２とは、軸２３，２９が回転して保持溝７２が双眼鏡の上下方向に平行になった時に接続する。
【００６２】
次に、収納ケース７１の着脱及びロック方法について具体的に説明する。収納ケース７１のセット前は、ロック解除状態、すなわちロック解除溝７７と保持溝７２とが接続した状態になっている（図１２参照）。ユーザは、収納ケース７１の両端の嵌合突起７４をそれぞれ両リング７３のロック解除溝７７に嵌める。次いで、ユーザは、収納ケース７１を下方に押し込む。この押し込みにより、収納ケース７１は、ロック解除溝７７及び保持溝７２に沿って、軸２３，２９の間に移動する。これにより、収納ケース７１の嵌合突起７４は、保持溝７２に嵌合する。
【００６３】
図１３に示すように、嵌合突起７４が保持溝７２に嵌合した後、ユーザが収納ケース７１を回転させると、これに連動して軸２３，２９も回転するため、ロック解除溝７７と保持溝７２との接続が解除される。このため、ユーザが収納ケース７１を上下左右に引っ張ったとしても、嵌合突起７４の移動がリング７３により規制されるため、収納ケース７１を取り外すことはできない。これにより、収納ケース７１をスペース２５内に保持した状態でロックすることができる。
【００６４】
また、収納ケース７１を取り外す場合には、ユーザは、嵌合突起７４及び保持溝７２が上下方向に平行になるように収納ケース７１を回転させる。これにより、ロック解除溝７７と保持溝７２とが再度接続して、収納ケース７１のロックが解除される。この状態でユーザが収納ケース７１を上方に引っ張ると、収納ケース７１の嵌合突起７４が保持溝７２及びロック解除溝７７に沿って移動する。これにより、収納ケース７１をスペース２５から取り外すことができる。
【００６５】
以上のように本発明の第４実施形態では、ユーザの意図的にロックを解除しない限りは、収納ケース７１をスペース２５内に保持した状態でロックすることができるので、収納ケース７１がスペース２５から誤って外れてしまうことが防止される。
【００６６】
上記各実施形態では、レンズペン１４の収納ケースとして、筒状の収納ケース１５，７１、略箱状の収納ケース５１、及び伸び縮み可能な筒状の収納ケース６１を例に挙げて説明を行ったが、本発明はこれに限定されるものでなく、各種形状の収納ケースを用いてよい。また、収納ケースをスペース２５内に着脱自在に保持・ロックする構成や収納ケースを回転止めする構成は、上記各実施形態で説明した構成に限定されるものでなく、発明の趣旨を逸脱しない範囲において適宜変更することができる。
【００６７】
上記実施形態では、収納ケースにレンズペン１４を収納する場合を例に挙げて説明を行ったが、本発明はこれに限定されるものではなく、例えばレンズペン１４の代わりに双眼鏡用の各種アクセサリ（例えば小型ライト・清掃用具などユーザが用意したもの）を収納してもよい。また、収納ケース内に複数種類のアクセサリを収納してもよい。
【００６８】
上記各実施形態では、収納ケースの保持に用いる軸として、第１及び第２ブリッジ部１２，１３の軸２３，２９を用いているが、本発明はこれに限定されるものではなく、例えば軸２３，２９をスペース２５内に突出させる代わりに、第１及び第２ブリッジ部１２，１３の互いに対向する面に、軸２３，２９と同軸状の軸を別途設けてもよい。
【００６９】
上記各実施形態では、ダハプリズムタイプの双眼鏡を例に挙げて説明を行ったが、ポロプリズムタイプやガリレオタイプの双眼鏡にも本発明を適用することができる。
【符号の説明】
【００７０】
１０，５０  双眼鏡
１１Ｒ，１１Ｌ  鏡筒
１２  第１ブリッジ部
１３  第２ブリッジ部
１４  レンズペン
１５，５１，６１，７１  収納ケース
２３，２９  軸
２５  スペース
４１  クリップ部
５３，６９  回転止め用突起
５４，６７  回転止め用溝
６２  第１ケース本体
６３  第２ケース本体
６４  バネ
７１  嵌合穴
７２  保持溝
７３  リング
７７  ロック解除用溝
【図１】
2010164704.tif 000003
【図２】
2010164704.tif 000004
【図３】
2010164704.tif 000005
【図４】
2010164704.tif 000006
【図５】
2010164704.tif 000007
【図６】
2010164704.tif 000008
【図７】
2010164704.tif 000009
【図８】
2010164704.tif 000010
【図９】
2010164704.tif 000011
【図１０】
2010164704.tif 000012
【図１１】
2010164704.tif 000013
【図１２】
2010164704.tif 000014
【図１３】
2010164704.tif 000015